【手続補正書】
【提出日】令和3年2月5日(2021.2.5)
【手続補正１】
【補正対象書類名】特許請求の範囲
【補正対象項目名】全文
【補正方法】変更
【補正の内容】
【特許請求の範囲】
【請求項１】
移動通信ネットワークの基地局を介してサーバとの間で通信可能な移動通信部と、無線通信機から送信された無線信号を受信可能な無線受信部と、制御部とを備える通信デバイスであって、
前記制御部は、前記移動通信部の通信機能の停止中に、前記無線受信部により、前記無線信号が受信されたことに応じて、前記移動通信部の通信機能の停止を解除させ、前記移動通信部と前記サーバとの間の通信を開始させることを特徴とする通信デバイス。
【請求項２】
前記通信デバイスは、当該通信デバイスの個体識別情報を予め記憶する電子情報記憶媒体を更に備えることを特徴とする請求項１に記載の通信デバイス。
【請求項３】
前記制御部は、前記移動通信部の通信機能の停止中に、前記無線受信部により、当該通信デバイスの個体識別情報及び認証コードを含む前記無線信号が受信されたことに応じて、当該認証コードの正当性を前記電子情報記憶媒体に検証させ、少なくとも前記認証コードの正当性が有る場合に、前記移動通信部の通信機能の停止を解除させ、前記移動通信部と前記サーバとの間の通信を開始させることを特徴とする請求項２に記載の通信デバイス。
【請求項４】
前記サーバは、前記通信デバイスの個体識別情報に対応付けて１または複数回のセッションで少なくとも１回変更される数値を予め記憶すると共に共通鍵暗号方式のマスター鍵を予め記憶するサーバ記憶部を備え、
前記サーバは、前記サーバ記憶部に記憶された前記マスター鍵及び前記個体識別情報を少なくとも用いた暗号演算により前記通信デバイスの個別鍵を生成し、当該生成した個別鍵及び前記サーバ記憶部に記憶された前記数値を少なくとも用いた暗号演算によりセッション鍵を生成し、当該生成したセッション鍵及び前記サーバ記憶部に記憶された前記個体識別情報を少なくとも用いた暗号演算により認証コードを生成し、当該生成した認証コード及び前記サーバ記憶部に記憶された前記個体識別情報を含む前記無線信号を前記無線通信機に送信させ、
前記電子情報記憶媒体は、前記通信デバイスの個体識別情報に対応付けて前記数値を予め記憶すると共に共通鍵暗号方式の個別鍵を予め記憶する媒体記憶部を備え、
前記電子情報記憶媒体は、前記無線受信部により受信された前記無線信号に含まれる前記認証コード及び前記個体識別情報を取得し、前記媒体記憶部に記憶された前記個別鍵及び前記数値を少なくとも用いた暗号演算によりセッション鍵を生成し、当該生成したセッション鍵を用いて前記認証コードの正当性を検証することを特徴とする請求項３に記載の通信デバイス。
【請求項５】
移動通信ネットワークの基地局を介してサーバとの間で通信可能な移動通信部と、無線通信機から送信された無線信号を受信可能な無線受信部と、制御部とを備える通信デバイスに搭載される電子情報記憶媒体であって、
前記移動通信部の通信機能の停止中に、前記無線受信部により、当該通信デバイスの個体識別情報及び認証コードを含む前記無線信号が受信されたことに応じて、前記電子情報記憶媒体は、前記無線信号に含まれる前記個体識別情報及び前記認証コードを取得し、当該受信された前記個体識別情報を用いて前記認証コードの正当性を検証し、少なくとも前記認証コードの正当性が有る場合に、前記移動通信部の通信機能の停止を解除させ、前記移動通信部と前記サーバとの間の通信を開始させることを特徴とする電子情報記憶媒体。
【請求項６】
前記サーバは、前記通信デバイスの個体識別情報に対応付けて１または複数回のセッションで少なくとも１回変更される数値を予め記憶すると共に共通鍵暗号方式のマスター鍵を予め記憶するサーバ記憶部を備え、
前記サーバは、前記サーバ記憶部に記憶された前記マスター鍵及び前記個体識別情報を少なくとも用いた暗号演算により前記通信デバイスの個別鍵を生成し、当該生成した個別鍵及び前記サーバ記憶部に記憶された前記数値を少なくとも用いた暗号演算によりセッション鍵を生成し、当該生成したセッション鍵及び前記サーバ記憶部に記憶された前記個体識別情報を少なくとも用いた暗号演算により認証コードを生成し、当該生成した認証コード及び前記サーバ記憶部に記憶された前記個体識別情報を含む前記無線信号を前記無線通信機に送信させ、
前記電子情報記憶媒体は、前記通信デバイスの個体識別情報に対応付けて前記数値を予め記憶すると共に共通鍵暗号方式の個別鍵を予め記憶する媒体記憶部を備え、
前記電子情報記憶媒体は、前記無線受信部により受信された前記無線信号に含まれる前記認証コード及び前記個体識別情報を受信し、前記媒体記憶部に記憶された前記個別鍵及び前記数値を少なくとも用いた暗号演算によりセッション鍵を生成し、当該生成したセッション鍵を用いて前記認証コードの正当性を検証することを特徴とする請求項５に記載の電子情報記憶媒体。
【請求項７】
前記移動通信部の通信機能の停止が解除された場合に、前記電子情報記憶媒体は、前記移動通信部を介して前記サーバとの間で暗号通信を行うためのセキュアチャンネルを確立することを特徴とする請求項５または６に記載の電子情報記憶媒体。
【請求項８】
前記電子情報記憶媒体は、前記サーバから送信された命令であって前記セキュアチャンネルを通じて受信された前記命令に応じた処理を実行し、前記処理の結果を示す応答を前記セキュアチャンネルを通じて前記サーバへ送信することを特徴とする請求項７に記載の電子情報記憶媒体。
【請求項９】
前記電子情報記憶媒体は、前記サーバから送信された命令であって前記セキュアチャンネルを通じて受信された前記命令を解釈し、当該命令がデバイス用命令である場合に、当該デバイス用命令を前記移動通信部を介して前記制御部へ送信することで当該制御部に前記デバイス用命令に応じた処理を実行させることを特徴とする請求項７に記載の電子情報記憶媒体。
【請求項１０】
前記電子情報記憶媒体は、前記サーバから送信された命令であって前記セキュアチャンネルを通じて受信された前記命令に応じた処理を実行してデバイス用命令を生成し、当該デバイス用命令を前記移動通信部を介して前記制御部へ送信することで当該制御部に前記デバイス用命令に応じた処理を実行させることを特徴とする請求項７に記載の電子情報記憶媒体。
【請求項１１】
前記制御部は、前記処理の結果を示す応答を前記移動通信部を介して前記電子情報記憶媒体へ送信し、
前記電子情報記憶媒体は、前記移動通信部からの前記応答を前記セキュアチャンネルを通じて前記サーバへ送信することを特徴とする請求項９または１０に記載の電子情報記憶媒体。
【請求項１２】
移動通信ネットワークの基地局を介してサーバとの間で通信可能な移動通信部と、無線通信機から送信された無線信号を受信可能な無線受信部と、制御部とを備える通信デバイスに搭載される電子情報記憶媒体であって、
前記移動通信部が起動された場合に、前記電子情報記憶媒体は、前記移動通信部を介して前記サーバとの間で暗号通信を行うためのセキュアチャンネルを確立し、前記サーバから送信された命令であって前記セキュアチャンネルを通じて受信された前記命令を解釈し、当該命令がデバイス用命令である場合に、当該デバイス用命令を前記移動通信部を介して前記制御部へ送信することで当該制御部に前記デバイス用命令に応じた処理を実行させることを特徴とする電子情報記憶媒体。
【請求項１３】
移動通信ネットワークの基地局を介してサーバとの間で通信可能な移動通信部と、無線通信機から送信された無線信号を受信可能な無線受信部と、制御部とを備える通信デバイスに搭載される電子情報記憶媒体であって、
前記移動通信部が起動された場合に、前記電子情報記憶媒体は、前記移動通信部を介して前記サーバとの間で暗号通信を行うためのセキュアチャンネルを確立し、前記サーバから送信された命令であって前記セキュアチャンネルを通じて受信された前記命令に応じた処理を実行してデバイス用命令を生成し、当該デバイス用命令を前記移動通信部を介して前記制御部へ送信することで当該制御部に前記デバイス用命令に応じた処理を実行させることを特徴とする電子情報記憶媒体。
【請求項１４】
前記制御部は、前記処理の結果を示す応答を前記移動通信部を介して前記電子情報記憶媒体へ送信し、
前記電子情報記憶媒体は、前記移動通信部からの前記応答を前記セキュアチャンネルを通じて前記サーバへ送信することを特徴とする請求項１２または１３に記載の電子情報記憶媒体。
【請求項１５】
移動通信ネットワークの基地局を介してサーバとの間で通信可能な移動通信部と、無線通信機から送信された無線信号を受信可能な無線受信部とを備える通信デバイスに搭載される電子情報記憶媒体に含まれるコンピュータに、
前記移動通信部の通信機能の停止中に、前記無線受信部により、当該通信デバイスの個体識別情報及び認証コードを含む前記無線信号が受信されたことに応じて、前記無線信号に含まれる前記個体識別情報及び前記認証コードを取得するステップと、
前記受信された前記個体識別情報を用いて前記認証コードの正当性を検証するステップと、
前記認証コードの正当性が有る場合に、前記移動通信部の通信機能の停止を解除させ、前記移動通信部と前記サーバとの間の通信を開始させるステップと、
を実行させることを特徴とする通信プログラム。
【請求項１６】
移動通信ネットワークの基地局を介してサーバとの間で通信可能な移動通信部と、無線通信機から送信された無線信号を受信可能な無線受信部と、制御部とを備える通信デバイスに搭載される電子情報記憶媒体に含まれるコンピュータに、
前記移動通信部が起動された場合に、前記移動通信部を介して前記サーバと前記電子情報記憶媒体との間で暗号通信を行うためのセキュアチャンネルを確立し、前記サーバから送信された命令であって前記セキュアチャンネルを通じて受信された前記命令を解釈し、当該命令がデバイス用命令である場合に、当該デバイス用命令を前記移動通信部を介して前記制御部へ送信するように機能させることを特徴とする通信プログラム。
【請求項１７】
移動通信ネットワークの基地局を介してサーバとの間で通信可能な移動通信部と、無線通信機から送信された無線信号を受信可能な無線受信部と、制御部とを備える通信デバイスに搭載される電子情報記憶媒体に含まれるコンピュータに、
前記移動通信部が起動された場合に、前記移動通信部を介して前記サーバと前記電子情報記憶媒体との間で暗号通信を行うためのセキュアチャンネルを確立し、前記サーバから送信された命令であって前記セキュアチャンネルを通じて受信された前記命令に応じた処理を実行してデバイス用命令を生成し、当該デバイス用命令を前記移動通信部を介して前記制御部へ送信するように機能させることを特徴とする通信プログラム。
【請求項１８】
移動通信ネットワークの基地局を介してサーバとの間で通信可能な移動通信部と、無線通信機から送信された無線信号を受信可能な無線受信部と、を備える通信デバイスにより実行される通信方法であって、
前記移動通信部の通信機能を停止させるステップと、
前記移動通信部の通信機能の停止中に、前記無線受信部により、前記無線信号が受信されたことに応じて、前記移動通信部の通信機能の停止を解除させ、前記移動通信部と前記サーバとの間の通信を開始させるステップと、
を含むことを特徴とする通信方法。
【請求項１９】
移動通信ネットワークの基地局を介してサーバとの間で通信可能な移動通信部と、無線通信機から送信された無線信号を受信可能な無線受信部と、制御部とを備える通信デバイスを利用した通信システムであって、
前記制御部は、前記移動通信部の通信機能の停止中に、前記無線受信部により、前記無線信号が受信されたことに応じて、前記移動通信部の通信機能の停止を解除させ、
前記移動通信部の通信機能の停止が解除された場合に、前記移動通信部は、前記基地局を介して前記サーバとの間のセキュアチャンネルを確立し、確立されたセキュアチャンネルを通じて前記サーバから送信されたデバイス用命令であって前記セキュアチャンネルを通じて受信された前記デバイス用命令を前記制御部へ送信し、
前記制御部は、前記移動通信部からの前記デバイス用命令に応じて、特定の事象を検知する検知部により検知された事象を示す情報を前記移動通信部に送信し、
前記移動通信部は、前記制御部からの情報を前記セキュアチャンネルを通じて前記サーバに送信することを特徴とする通信システム。
【手続補正２】
【補正対象書類名】明細書
【補正対象項目名】発明の名称
【補正方法】変更
【補正の内容】
【発明の名称】通信デバイス、電子情報記憶媒体、通信プログラム、通信方法、及び通信システム
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】変更
【補正の内容】
【００２６】
請求項５に記載の発明は、移動通信ネットワークの基地局を介してサーバとの間で通信可能な移動通信部と、無線通信機から送信された無線信号を受信可能な無線受信部と、制御部とを備える通信デバイスに搭載される電子情報記憶媒体であって、前記移動通信部の通信機能の停止中に、前記無線受信部により、当該通信デバイスの個体識別情報及び認証コードを含む前記無線信号が受信されたことに応じて、前記電子情報記憶媒体は、前記無線信号に含まれる前記個体識別情報及び前記認証コードを取得し、当該受信された前記個体識別情報を用いて前記認証コードの正当性を検証し、少なくとも前記認証コードの正当性が有る場合に、前記移動通信部の通信機能の停止を解除させ、前記移動通信部と前記サーバとの間の通信を開始させることを特徴とする。
【手続補正２０】
【補正対象書類名】明細書
【補正対象項目名】００２７
【補正方法】変更
【補正の内容】
【００２７】
請求項６に記載の発明は、請求項５に記載の電子情報記憶媒体において、前記サーバは、前記通信デバイスの個体識別情報に対応付けて１または複数回のセッションで少なくとも１回変更される数値を予め記憶すると共に共通鍵暗号方式のマスター鍵を予め記憶するサーバ記憶部を備え、前記サーバは、前記サーバ記憶部に記憶された前記マスター鍵及び前記個体識別情報を少なくとも用いた暗号演算により前記通信デバイスの個別鍵を生成し、当該生成した個別鍵及び前記サーバ記憶部に記憶された前記数値を少なくとも用いた暗号演算によりセッション鍵を生成し、当該生成したセッション鍵及び前記サーバ記憶部に記憶された前記個体識別情報を少なくとも用いた暗号演算により認証コードを生成し、当該生成した認証コード及び前記サーバ記憶部に記憶された前記個体識別情報を含む前記無線信号を前記無線通信機に送信させ、前記電子情報記憶媒体は、前記通信デバイスの個体識別情報に対応付けて前記数値を予め記憶すると共に共通鍵暗号方式の個別鍵を予め記憶する媒体記憶部を備え、前記電子情報記憶媒体は、前記無線受信部により受信された前記無線信号に含まれる前記認証コード及び前記個体識別情報を受信し、前記媒体記憶部に記憶された前記個別鍵及び前記数値を少なくとも用いた暗号演算によりセッション鍵を生成し、当該生成したセッション鍵を用いて前記認証コードの正当性を検証することを特徴とする。
【手続補正２１】
【補正対象書類名】明細書
【補正対象項目名】００２８
【補正方法】変更
【補正の内容】
【００２８】
請求項７に記載の発明は、請求項５または６に記載の電子情報記憶媒体において、前記移動通信部の通信機能の停止が解除された場合に、前記電子情報記憶媒体は、前記移動通信部を介して前記サーバとの間で暗号通信を行うためのセキュアチャンネルを確立することを特徴とする。
【手続補正２２】
【補正対象書類名】明細書
【補正対象項目名】００２９
【補正方法】変更
【補正の内容】
【００２９】
請求項８に記載の発明は、請求項７に記載の電子情報記憶媒体において、前記電子情報記憶媒体は、前記サーバから送信された命令であって前記セキュアチャンネルを通じて受信された前記命令に応じた処理を実行し、前記処理の結果を示す応答を前記セキュアチャンネルを通じて前記サーバへ送信することを特徴とする。
【手続補正２３】
【補正対象書類名】明細書
【補正対象項目名】００３０
【補正方法】変更
【補正の内容】
【００３０】
請求項９に記載の発明は、請求項７に記載の電子情報記憶媒体において、前記電子情報記憶媒体は、前記サーバから送信された命令であって前記セキュアチャンネルを通じて受信された前記命令を解釈し、当該命令がデバイス用命令である場合に、当該デバイス用命令を前記移動通信部を介して前記制御部へ送信することで当該制御部に前記デバイス用命令に応じた処理を実行させることを特徴とする。
【手続補正２４】
【補正対象書類名】明細書
【補正対象項目名】００３１
【補正方法】変更
【補正の内容】
【００３１】
請求項１０に記載の発明は、請求項７に記載の電子情報記憶媒体において、前記電子情報記憶媒体は、前記サーバから送信された命令であって前記セキュアチャンネルを通じて受信された前記命令に応じた処理を実行してデバイス用命令を生成し、当該デバイス用命令を前記移動通信部を介して前記制御部へ送信することで当該制御部に前記デバイス用命令に応じた処理を実行させることを特徴とする。
【手続補正２５】
【補正対象書類名】明細書
【補正対象項目名】００３２
【補正方法】変更
【補正の内容】
【００３２】
請求項１１に記載の発明は、請求項９または１０に記載の電子情報記憶媒体において、前記制御部は、前記処理の結果を示す応答を前記移動通信部を介して前記電子情報記憶媒体へ送信し、前記電子情報記憶媒体は、前記移動通信部からの前記応答を前記セキュアチャンネルを通じて前記サーバへ送信することを特徴とする。
【手続補正２６】
【補正対象書類名】明細書
【補正対象項目名】００３３
【補正方法】変更
【補正の内容】
【００３３】
請求項１２に記載の発明は、移動通信ネットワークの基地局を介してサーバとの間で通信可能な移動通信部と、無線通信機から送信された無線信号を受信可能な無線受信部と、制御部とを備える通信デバイスに搭載される電子情報記憶媒体であって、前記移動通信部が起動された場合に、前記電子情報記憶媒体は、前記移動通信部を介して前記サーバとの間で暗号通信を行うためのセキュアチャンネルを確立し、前記サーバから送信された命令であって前記セキュアチャンネルを通じて受信された前記命令を解釈し、当該命令がデバイス用命令である場合に、当該デバイス用命令を前記移動通信部を介して前記制御部へ送信することで当該制御部に前記デバイス用命令に応じた処理を実行させることを特徴とする。
【手続補正２７】
【補正対象書類名】明細書
【補正対象項目名】００３４
【補正方法】変更
【補正の内容】
【００３４】
請求項１３に記載の発明は、移動通信ネットワークの基地局を介してサーバとの間で通信可能な移動通信部と、無線通信機から送信された無線信号を受信可能な無線受信部と、制御部とを備える通信デバイスに搭載される電子情報記憶媒体であって、前記移動通信部が起動された場合に、前記電子情報記憶媒体は、前記移動通信部を介して前記サーバとの間で暗号通信を行うためのセキュアチャンネルを確立し、前記サーバから送信された命令であって前記セキュアチャンネルを通じて受信された前記命令に応じた処理を実行してデバイス用命令を生成し、当該デバイス用命令を前記移動通信部を介して前記制御部へ送信することで当該制御部に前記デバイス用命令に応じた処理を実行させることを特徴とする。
【手続補正２８】
【補正対象書類名】明細書
【補正対象項目名】００３５
【補正方法】変更
【補正の内容】
【００３５】
請求項１４に記載の発明は、請求項１２または１３に記載の電子情報記憶媒体において、前記制御部は、前記処理の結果を示す応答を前記移動通信部を介して前記電子情報記憶媒体へ送信し、前記電子情報記憶媒体は、前記移動通信部からの前記応答を前記セキュアチャンネルを通じて前記サーバへ送信することを特徴とする。
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】削除
【補正の内容】
【手続補正３１】
【補正対象書類名】明細書
【補正対象項目名】００３８
【補正方法】削除
【補正の内容】
【手続補正３２】
【補正対象書類名】明細書
【補正対象項目名】００３９
【補正方法】削除
【補正の内容】
【手続補正３３】
【補正対象書類名】明細書
【補正対象項目名】００４０
【補正方法】削除
【補正の内容】
【手続補正３４】
【補正対象書類名】明細書
【補正対象項目名】００４１
【補正方法】変更
【補正の内容】
【００４１】
請求項１５に記載の発明は、移動通信ネットワークの基地局を介してサーバとの間で通信可能な移動通信部と、無線通信機から送信された無線信号を受信可能な無線受信部とを備える通信デバイスに搭載される電子情報記憶媒体に含まれるコンピュータに、前記移動通信部の通信機能の停止中に、前記無線受信部により、当該通信デバイスの個体識別情報及び認証コードを含む前記無線信号が受信されたことに応じて、前記無線信号に含まれる前記個体識別情報及び前記認証コードを取得するステップと、前記受信された前記個体識別情報を用いて前記認証コードの正当性を検証するステップと、前記認証コードの正当性が有る場合に、前記移動通信部の通信機能の停止を解除させ、前記移動通信部と前記サーバとの間の通信を開始させるステップと、を実行させることを特徴とする。
【手続補正３５】
【補正対象書類名】明細書
【補正対象項目名】００４２
【補正方法】変更
【補正の内容】
【００４２】
請求項１６に記載の発明は、移動通信ネットワークの基地局を介してサーバとの間で通信可能な移動通信部と、無線通信機から送信された無線信号を受信可能な無線受信部と、制御部とを備える通信デバイスに搭載される電子情報記憶媒体に含まれるコンピュータに、前記移動通信部が起動された場合に、前記移動通信部を介して前記サーバと前記電子情報記憶媒体との間で暗号通信を行うためのセキュアチャンネルを確立し、前記サーバから送信された命令であって前記セキュアチャンネルを通じて受信された前記命令を解釈し、当該命令がデバイス用命令である場合に、当該デバイス用命令を前記移動通信部を介して前記制御部へ送信するように機能させることを特徴とする。
【手続補正３６】
【補正対象書類名】明細書
【補正対象項目名】００４３
【補正方法】変更
【補正の内容】
【００４３】
請求項１７に記載の発明は、移動通信ネットワークの基地局を介してサーバとの間で通信可能な移動通信部と、無線通信機から送信された無線信号を受信可能な無線受信部と、制御部とを備える通信デバイスに搭載される電子情報記憶媒体に含まれるコンピュータに、前記移動通信部が起動された場合に、前記移動通信部を介して前記サーバと前記電子情報記憶媒体との間で暗号通信を行うためのセキュアチャンネルを確立し、前記サーバから送信された命令であって前記セキュアチャンネルを通じて受信された前記命令に応じた処理を実行してデバイス用命令を生成し、当該デバイス用命令を前記移動通信部を介して前記制御部へ送信するように機能させることを特徴とする。
【手続補正３７】
【補正対象書類名】明細書
【補正対象項目名】００４４
【補正方法】変更
【補正の内容】
【００４４】
請求項１８に記載の発明は、移動通信ネットワークの基地局を介してサーバとの間で通信可能な移動通信部と、無線通信機から送信された無線信号を受信可能な無線受信部と、を備える通信デバイスにより実行される通信方法であって、前記移動通信部の通信機能を停止させるステップと、前記移動通信部の通信機能の停止中に、前記無線受信部により、前記無線信号が受信されたことに応じて、前記移動通信部の通信機能の停止を解除させ、前記移動通信部と前記サーバとの間の通信を開始させるステップと、を含むことを特徴とする。
【手続補正３８】
【補正対象書類名】明細書
【補正対象項目名】００４５
【補正方法】変更
【補正の内容】
【００４５】
請求項１９に記載の発明は、移動通信ネットワークの基地局を介してサーバとの間で通信可能な移動通信部と、無線通信機から送信された無線信号を受信可能な無線受信部と、制御部とを備える通信デバイスを利用した通信システムであって、前記制御部は、前記移動通信部の通信機能の停止中に、前記無線受信部により、前記無線信号が受信されたことに応じて、前記移動通信部の通信機能の停止を解除させ、前記移動通信部の通信機能の停止が解除された場合に、前記移動通信部は、前記基地局を介して前記サーバとの間のセキュアチャンネルを確立し、確立されたセキュアチャンネルを通じて前記サーバから送信されたデバイス用命令であって前記セキュアチャンネルを通じて受信された前記デバイス用命令を前記制御部へ送信し、前記制御部は、前記移動通信部からの前記デバイス用命令に応じて、特定の事象を検知する検知部により検知された事象を示す情報を前記移動通信部に送信し、前記移動通信部は、前記制御部からの情報を前記セキュアチャンネルを通じて前記サーバに送信することを特徴とする。